【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
密閉容器内に電動機要素部と、冷媒を圧縮する圧縮機構部と、これらを結合するクランク軸と、を収容し、
前記圧縮機構部は、シリンダと、前記クランク軸の偏心部と、ピストンと、フレームと、シリンダヘッド等で構成され、前記シリンダ内壁と、前記クランク軸の偏心部に装着された前記ストンの外周と、前記シリンダの前記電動機要素部側開口部を閉塞する前記フレームと、前記シリンダの前記電動機要素部と反対側開口部を閉鎖する前記シリンダヘッドと、でシリンダ室を形成するとともに、該シリンダ室に開口する前記冷媒の吸入口と吐出口を設け、
前記シリンダ内で、前記ピストンが上死点にあるときの前記クランク角度を０度とし、吸入口側から吐出口側に前記クランク角度が増加するとして、
前記クランク軸の中心を前記シリンダの中心に対して、所定のクランク角度側に偏心するように設定した偏心組立てを実施し、
前記シリンダの内壁に前記シリンダ室を前記吸入口と連通させ吸入室とする逃がしを、前記吸入口からクランク角度が増加する方向に、前記偏心組立ての設定及び使用冷媒のポリトロープ指数により設定される所定範囲にわたって設け、
吸入閉じ込み完了クランク角度を増加させたことを特徴とするロータリ圧縮機。
【請求項２】
使用前記冷媒を二酸化炭素とし、また、前記偏心組立ての偏心方向を約３００度とし、さらに、前記吸入閉じ込み完了クランク角度が９０度〜１８０度となるように前記逃がしを設けたことを特徴とする請求項１に記載のロータリ圧縮機。
【請求項３】
前記吸入口を、クランク角度が９０度〜１８０度となるような位置に設け、また、前記逃がしを、前記吸入口の位置まで又はクランク角度１８０度まで設けたことを特徴とする請求項１または請求項２に記載のロータリ圧縮機。
【請求項４】
前記逃がしを、前記シリンダの内壁の高さ方向全体でなく、一部としたことを特徴とする請求項１から請求項３の何れかに記載のロータリ圧縮機。
【請求項５】
密閉容器内に電動機要素部と、冷媒を圧縮する圧縮機構部と、これらを結合するクランク軸と、を収容し、
前記圧縮機構部は、シリンダと、前記クランク軸の偏心部と、ピストンと、フレームと、シリンダヘッド等で構成され、前記シリンダ内壁と、前記クランク軸の偏心部に装着された前記ストンの外周と、前記シリンダの前記電動機要素部側開口部を閉塞する前記フレームと、前記シリンダの前記電動機要素部と反対側開口部を閉鎖する前記シリンダヘッドと、でシリンダ室を形成するとともに、該シリンダ室に開口する前記冷媒の吸入口と吐出口を設け、
前記シリンダ内で、前記ピストンが上死点にあるときの前記クランク角度を０度とし、前記吸入口側から吐出口側に前記クランク角度が増加するとして、
前記吸入口を、前記シリンダ室のクランク角度が９０度〜１８０度となるような位置に設けたことを特徴とするロータリ圧縮機。
【手続補正２】
【補正対象書類名】明細書
【補正対象項目名】０００８
【補正方法】変更
【補正の内容】
【０００８】
本発明に係るロータリ圧縮機は、密閉容器内に電動機要素部と、冷媒を圧縮する圧縮機構部と、これらを結合するクランク軸と、を収容し、前記圧縮機構部は、シリンダと、前記クランク軸の偏心部と、ピストンと、フレームと、シリンダヘッド等で構成され、前記シリンダ内壁と、前記クランク軸の偏心部に装着された前記ピストンの外周と、前記シリンダの前記電動機要素部側開口部を閉塞する前記フレームと、前記シリンダの前記電動機要素部と反対側開口部を閉鎖する前記シリンダヘッドと、でシリンダ室を形成するとともに、該シリンダ室に開口する前記冷媒の吸入口と吐出口を設け、前記シリンダ内で、前記ピストンが上死点にあるときの前記クランク角度を０度とし、吸入口側から吐出口側に前記クランク角度が増加するとして、前記クランク軸の中心を前記シリンダの中心に対して、所定のクランク角度側に偏心するように設定した偏心組立てを実施し、前記シリンダの内壁に前記シリンダ室を前記吸入口と連通させ吸入室とする逃がしを、前記吸入口からクランク角度が増加する方向に、前記偏心組立ての設定及び使用冷媒のポリトロープ指数により設定される所定範囲にわたって設け、吸入閉じ込み完了クランク角度を増加させたものである。
【手続補正３】
【補正対象書類名】明細書
【補正対象項目名】０００９
【補正方法】変更
【補正の内容】
【０００９】
本発明のロータリ圧縮機は、シリンダの内壁にシリンダ室を吸入口と連通させ吸入室とする逃がしを設け、該逃がしを、吸入口からクランク角度が増加する方向に、偏心組立ての設定及び使用する冷媒のポリトロープ指数により設定される所定範囲にわたって設け、吸入閉じ込み完了クランク角度を増加させたので、よりポリトロープ指数の大きい冷媒を圧縮室からの漏れを低減して使用することができる。
【手続補正４】
【補正対象書類名】明細書
【補正対象項目名】００１０
【補正方法】変更
【補正の内容】
【００１０】
実施の形態１．
図１は、本発明の実施の形態１におけるロータリ圧縮機の圧縮機構部を示すの横断面図であり、図２は、同じくロータリ圧縮機を示す縦断面図である。
これらの図において、ロータリ圧縮機の密閉容器１内には、上部に固定子１４と回転子１５とからなる電動機要素部２が収容され、また、下部には圧縮機構部３が収容される。  そして、両者は、電動機要素部２で駆動され、その回転により圧縮機構部３で冷媒が圧縮されるクランク軸４で結合される。
シリンダ５は密閉容器１の内壁に固定される。そして、シリンダ５の内壁と、貫通するクランク軸４の偏心部４ｂに装着され偏心運動するローリングピストン９（以下ピストン９とする。）の外周と、シリンダ５の電動機要素部側開口部を閉鎖するフレーム７と、シリンダ５の電動機要素部２と反対側開口部を閉鎖するシリンダヘッド８とで囲まれた空間でシリンダ室６ａが形成される。このシリンダ室６ａは、ベーンスプリング１１によりピストン９に押圧されるベーン１０により、吸入室６ｂと圧縮室６ｃに分割される。
これらのクランク軸４の偏心部４ｂ、シリンダ５、吸入室６ｂ、圧縮室６ｃ、フレーム７、シリンダヘッド８及びピストン９等で圧縮機構部３を構成する。
【手続補正５】
【補正対象書類名】明細書
【補正対象項目名】００１４
【補正方法】変更
【補正の内容】
【００１４】
以上のように、ピストン上死点時のクランク角度を０度とした際に、圧縮室６ｃが形成され冷媒ガスの圧縮が開始されるクランク角度が約１８０度となるようにシリンダ５の内壁に、吸入口５ｂからクランク角の増加方向に内周に沿って逃がし５ａを設けたことにより、冷媒として二酸化炭素を用いた際の圧縮室６ｃの圧力が吐出圧力に達するクランク角度も約２３０度と、ＨＦＣ系冷媒を用いた際の従来のロータリ圧縮機と同等になるようにしているので、圧縮室６ｃと吸入室６ｂの差圧が大きく、ピストン９の外周とシリンダ５の内壁間の隙間からの圧縮ガスの漏れが大きい時間を短くすることができるため、ピストン９外周とシリンダ５内壁間の圧縮ガスの漏れ損失の小さいロータリ圧縮機を得ることができる。
【手続補正６】
【補正対象書類名】明細書
【補正対象項目名】００１６
【補正方法】変更
【補正の内容】
【００１６】
また、圧縮室６ｃが形成され冷媒ガスの圧縮が開始されるクランク角度が約１８０度となるようにシリンダ５の内壁に、吸入口５ｂからクランク角の増加方向に内周に沿って逃がし５ａを設け、冷媒として二酸化炭素を用いた際の圧縮室６ｃの圧力が吐出圧力に達するクランク角度を約２３０度としたが、吸入口５ｂから内周に沿ってクランク角が増加する方向に形成した逃がし５ａの形成範囲を変えてもよい。即ち、吸入口５ｂから逃がし５ａを形成する範囲をクランク角度約９０度〜１８０度とし、圧縮室６ｃが形成され冷媒ガスの圧縮が開始されるクランク角度が約９０度〜１８０度となるようにし、これにより圧縮室６ｃの圧力が吐出圧力に達するクランク角度を約１９０度〜２３０度としても同様な効果が得られる。